(57)【要約】      （修正有）【課題】ディスプレイケースにおいて、飾り物の鑑賞の邪魔にならず、しかも、簡単かつ安価にケース内の湿度安定を図れるカード支持台を提供する。【解決手段】水受け部３がカード挟持部１１の一部（片側）を兼ねる構成であるため、カードの支持と水受け部の設置とを小さいスペースで実現できる。また、前面板部２２、及び、前面板部と水受け部との間に挟み込んで支持したカードによって水受け部が隠されるため、美観に与える影響が少なくなるとともに、また、ディスプレイケース４の透視用フード４２近くに設置しても、水受け部内の水の大部分が、前面板部や、前面板部と水受け部との間に挟み込んで支持したカードによって、外気温、日照等の影響を直接受けないように保護され、外気温の上昇、日照による過剰な蒸発を生じにくい。【選択図】  図１
2006064735.tif 000002
【特許請求の範囲】
【請求項１】
飾り物を収納するディスプレイケース内に設置されるカード支持台であって、
前記飾り物が設置される設置床上に設置される基台部及び該基台部から立ち上げられた前面板部を有するアングル状の支持台本体と、この支持台本体の前記基台部上に取り付けられる容器状の水受け部とを有し、前記前面板部と前記水受け部とが、前記前面板部と前記水受け部との間にカードを挟み込んで支持するクリップ状のカード挟持部を構成することを特徴とするカード支持台。
【請求項２】
前記前面板部は、前記基台部を設置した前記設置床に対して斜めに傾斜するように、前記基台部から斜め上に立ち上げられていることを特徴とする請求項１記載のカード支持台。
【請求項３】
前記水受け部は、前記基台部に対して着脱可能であることを特徴とする請求項１又は２記載のカード支持台。
【発明の詳細な説明】
【技術分野】
【０００１】
本発明は、重要な物品を収納展示するディスプレイケース内部において、物品の名称等が記載されたカード類を、ディスプレイケース外からカードを視認可能に支持するカード支持台に関する。
【背景技術】
【０００２】
例えば、考古学的に貴重な発掘物や、高価な工芸品などといった物品を収納展示するディスプレイケースにあっては、ケース内の湿度及び温度を調整する空調設備を備えたものが提供されているが、湿度、温度の管理を厳重にする必要が無い物品の収納展示用のディスプレイケースは空調設備の無い簡易な構成のものが広く採用されている。また、近年では、個人宅におけるプラモデルや小型ジオラマの展示鑑賞趣味の他、玩具やフィギュア（人形）などといった物品の収集趣味の拡がり等によって、一般家庭用として、簡易なディスプレイケースのニーズが高まっている。
なお、本出願人の知る限り、上述した簡易構造のディスプレイケースが記載された文献は存在しない。
【発明の開示】
【発明が解決しようとする課題】
【０００３】
しかしながら、家庭用等として用いられる、空調設備を必要としない簡易なディスプレイケースと言えども、近年では、保管性能の向上が要求されてきている。
乾燥による収納物品（以下、飾り物とも言う）のひび割れ防止や、プラモデルのデカールなどといった貼付物の剥離防止等のために、ディスプレイケース内にコップ状の水受けを設置する場合があるが、鑑賞の邪魔になるといった問題がある。
また、ディスプレイケース内に収納した飾り物の名称、仕様、由来等を記したカードを取り付けたカード取付台や銘板等をディスプレイケース内に設置することがあるが、この場合は、鑑賞の邪魔になるといった前述の問題が一層顕著になる。
水受けは、出来る限り飾り物の鑑賞の邪魔にならないことを考慮して、透視用フード近くに設置されることが多いが、この場合、外気温（フードの外の外気温）の影響を受けやすいといった問題がある。例えば、ディスプレイケースは、建物内において壁の近くなどに設置されることが多いが、冬季や、寒冷地などでは、鑑賞者から見て奥側（背側）と手前側とで温度差が大きい場合がある。このような場合、ディスプレイケース手前側にて透視用フード近傍に水受けを設置すると、水受けの水が透視用フードを介して暖房等によって暖められた室温の影響を受けて蒸発しやすくなり、ディスプレイケース内の湿度が僅かだが過剰になる虞がある。また、直接日照やスポットライトに曝される位置に水受けが設置されている場合も、ディスプレイケース内の湿度が高くなる原因となる。密閉性の高いディスプレイケースでは、湿度が過剰になると、ディスプレイケースを開放しない限り湿度の低下が困難であるため、日数が経過するにしたがって湿度が高まっていく傾向にある。
逆に、湿気を嫌う飾り物を収納する場合は、ディスプレイケース内に乾燥剤を設置することがあるが、この場合も、日照や外気温等が乾燥剤の性能や寿命を与えることが懸念される。
【０００４】
上述したように、家庭用等として用いられる、空調設備を必要としない簡易なディスプレイケースと言えども、近年では、保管性能の向上が要求されてきている。
本発明は、上述した要求に鑑みて、飾り物の鑑賞の邪魔にならず、しかも、簡単かつ安価にディスプレイケース内の湿度安定を図れるカード支持台の提供を目的とする。
【課題を解決するための手段】
【０００５】
上記課題を解決するため、本発明は、飾り物を収納するディスプレイケース内に設置されるカード支持台であって、前記飾り物が設置される設置床上に設置される基台部及び該基台部から立ち上げられた前面板部を有するアングル状の支持台本体と、この支持台本体の前記基台部上に取り付けられる容器状の水受け部とを有し、前記前面板部と前記水受け部とが、前記前面板部と前記水受け部との間にカードを挟み込んで支持するクリップ状のカード挟持部を構成することを特徴とするカード支持台を提供する。
ここで、前記前面板部は、前記基台部を設置した前記設置床に対して斜めに傾斜するように、前記基台部から斜め上に立ち上げられていることが、美観上も好ましい。
また、前記水受け部は、前記基台部に対して着脱可能である構成にしても良い。
【発明の効果】
【０００６】
本発明によるカード支持台によれば、水受け部がカード挟持部の一部（片側）を兼ねる構成であるため、カードの支持と水受け部の設置とを小さいスペースで実現できる。また、前面板部、及び、前面板部と水受け部との間に挟み込んで支持したカードによって水受け部が隠されるため、美観に与える影響が少なくなる。また、ディスプレイケースの透視用フード近くに設置しても、水受け部内の水（あるいは乾燥剤）の大部分が、前面板部や、前面板部と水受け部との間に挟み込んで支持したカードによって、外気温（透視用フードの外の気温）、日照等の影響を直接受けないように保護され、外気温の上昇、日照による影響を受けにくく、ディスプレイケース内の湿度を安定に保てる。
【発明を実施するための最良の形態】
【０００７】
以下、本発明を実施するための最良の形態について、図面を参照して説明する。
図１、図２は、本発明に係るカード支持台を示す図である。このカード支持台１は、飾り物を収容するディスプレイケース４内に設置されるものであって、飾り物５が設置される底板４３上に設置される基台部２１及び該基台部２１から立ち上げられた前面板部２２を有するアングル状の支持台本体２と、この支持体本体２の前記基台部２１上に取り付けられる容器状の水受け部３とを具備した構成になっている。
【０００８】
支持台本体２は、透明（若干、着色されていても良い）の樹脂による一体成形品であり、前面板部２２の側から見て、全体的に横長形状を有している。
支持台本体２に形成される基台部２１は、長方形板状の容器受部２１ｂと、この容器受部２１ｂの長手方向両端部から該容器受部２１ｂの下面２１ｋ側に突設された基台側壁部２１ｈ、２１ｉと、容器受部２１ｂの短手方向片端（前端部２１ｃ）から容器受部２１ｂの下面２１ｋ側に突設された基台前壁部２１ｊとを有している。支持台本体２（詳細には基台部２１）は、両側の基台側壁部２１ｈ、２１ｉ及び前記基台前壁部２１ｊを下にして支持台本体２を設置床上に設置したときに設置床上にガタ付くことなく安定設置されるようになっている。図示例のカード支持台１は、具体的には、支持台本体２の基台部２１の両側の基台側壁部２１ｈ、２１ｉ及び前記基台前壁部２１ｊは、容器受部２１ｂの３辺から突設されて互いに連続する連壁状になっており、両側の基台側壁部２１ｈ、２１ｉ及び前記基台前壁部２１ｊの前記容器受部２１ｂからの突出先端（下端）に形成された平坦面が、容器受部２１ｂの３辺に沿って延在する細い帯状の底面２１ａを形成している。但し、基台部２１の両側の基台側壁部２１ｈ、２１ｉは、容器受部２１ｂの前端部２１ｃ側から、支持体本体２の奥行き方向Ｄにおいて奥側（図２（ｂ）右側。容器受部２１ｂにおいて前端部２１ｃとは反対側の後端部２１ｄの側）に行くにしたがって、容器受部２１ｂからの突出寸法が減少する略三角形状に形成されており、容器受部２１ｂの後端部２１ｄ（容器受部２１ｂの下面２１ｋの内の後端部２１ｄに位置する部分）も底面２１ａの一部を構成する。底面２１ａは容器受部２１ｂに対して緩やかに傾斜する傾斜面になっており、カード支持台１を平坦面上に設置すると、容器受部２１ｂの上面である容器受面２１ｍが、容器受部２１ｂの後端部２１ｄから前端部２１ｃに向かって緩やかな上り勾配の傾斜面を形成する。
【０００９】
支持台本体２の前面板部２２は、基台部２１に沿って延在する長方形板状に形成されている。また、前面板部２２は、容器受部２１ｂの前端部２１ｃから上に立ち上げられているが、前面板部２２の底面２１ａに対する傾斜角度（換言すれば、カード支持台１を設置するディスプレイケース４の底板４３上面に対する傾斜角度）は９０度ではなく、４５度以上８５度未満の範囲で、前端部２１ｃから容器受部２１ｂの側に若干傾くように傾斜されている。
なお、基台部２１の基台前壁部２１ｊは、容器受部２１ｂの前端部２１ｃを介して前面板部２２と連続している。
【００１０】
容器受部２１ｂには、前記水受け部３を取り付けるための取付用挿入孔２１ｇが複数箇所（具体的には２箇所）に設けられている。前記取付用挿入孔２１ｇは、容器受部２１ｂを容器受面２１ｍと下面２１ｋとの間にわたって貫通する貫通孔であり、図２（ｂ）に示すように、水受け部３の複数箇所（具体的には２箇所）に突設されている挿入突起３２が挿入される。図３（ｃ）に示すように、この取付用挿入孔２１ｇの内面の周方向の複数箇所には、該取付用挿入孔２１ｇの軸方向に沿って延在する突条２１ｎが突設されており、この突条２１ｎによって、円筒状（あるいは円柱状）の挿入突起３２の外周面との接触面積を小さくして、取付用挿入孔２１ｇに対する挿入突起３２の挿脱を軽い力で円滑に行えるようになっている。
【００１１】
水受け部３は、支持台本体２と同様、透明（若干、着色されていても良い）の樹脂による角型容器状の一体成形品であり、係合手段によって支持台本体２への着脱が可能となっているものである。この水受け部３は、角型容器状の容器部３１と、この容器部３１の底板部３１ａから容器部３１の外部へ向かって突出する挿入突起３２とから構成される。
容器部３１は、前記底板部３１ａと対向して開口部３１ｂが形成され、この底板部３１ａと開口部３１ｂは共に長方形状を有している。この底板部３１ａと開口部３１ｂとの間には、底板部３１ａから立ち上がる壁部が形成され、底板部３１ａの長寸端部から立ち上げられる前壁部３１ｃと、この前壁部３１ｃと対向するもう一方の長寸端部の側に底板部３１ａから立ち上げられる後壁部３１ｄと、底板部３１ａの互いに対向する端寸端部から立ち上げられる側壁部３１ｅ、３１ｆとが形成されている。この底板部３１ａ、前壁部３１ｃ、後壁部３１ｄ、側壁部３１ｅ、３１ｆに囲まれた空間である収容部３３は前記開口部３１ｂのみによって容器部３１の外部に開放されている。なお、後壁部３１ｄは前壁部３１ｃよりも長く形成されているため、両側壁部３１ｅ、３１ｆは、前壁部３１ｃ側の端部が短く形成される一方、後壁部３１ｄ側の端部が長く形成されている。このため、両側壁部３１ｅ、３１ｆの上端（つまり、開口部３１ｂ側の端部）は、後壁部３１ｄ側へ向かうほど高くなるように傾斜角Ａを有して形成されている（図１（ｂ）、図２（ｂ）参照）。従って、開口部３１ｂの開口面積は、底板部３１ａの面積よりも大きくなっている。
【００１２】
ここで、図２（ａ）に示すように、支持台本体２へ水受け部３を取り付ける際は、水受け部３の底板部３１ａから突出している挿入突起３２を支持台本体２の容器受部２１ｂに設けられた取付用挿入孔２１ｇに押し込むことで、支持台本体２の前面板部２２と水受け部３の前壁部３１ｃとが向かい合う向きで、支持台本体２の容器受部２１ｂ上に水受け部３の底板部３１ａを載せる。ここでは、挿入突起３２が取付用挿入孔２１ｇに軽く嵌合される形となっており、水受け部３の支持台本体２への着脱が自在となっている。
この際、図１（ｂ）、図２（ｂ）に示すように、このカード支持台１は、容器受部２１ｂ上の容器受面２１ｍの傾斜によって、水受け部３全体が後端部２１ｃの側へ傾斜した形で取り付けられる。また、この水受け部３は、前述のように、両側壁部３１ｅ、３１ｆの上端が後壁部３１ｄ側へ向かうほど高くなるように傾斜角Ａを有して形成されているが、この傾斜角Ａは、水受け部３を支持台本体２に取り付けた際に、支持台本体２の底面２１ａと水受け部３の開口部３１ｂとが略平行となる角度としている。
【００１３】
なお、前記前面板部２２と水受け部３とは、前面板部２２と水受け部３の前壁部３１ｃとの間にカードを挟み込んで支持するクリップ状のカード挟持部１１を構成している。
図３（ａ）、（ｂ）に示したように、このカード挟持部１１は、前面板部２２と水受け部３の前壁部３１ｃとの間の間隙にカード６を挟み込むものであり、このカード６は、前面板部２２及び水受け部３の傾斜角に応じて、傾斜状態で挟持される。
なお、前記水受け部３の支持台本体２への取り付けに使用する挿入突起３２と取付用挿入孔２１ｇの挿入状態を、この水受け部３が前後方向（図３（ｂ）において左右方向）に若干の可動範囲を有する程度に軽く挿入した状態としてやれば、このカード挟持部１１がクリップ状に構成される。これにより、このカード挟持部１１へのカード６の挟み込み及び取り外しを簡単な操作で行うことができるとともに、カード６の支持と水受け部３の設置とを小さいスペースで実現できる。また、前面板部２２、及び、前面板部２２と水受け部３との間に挟み込んで挟持したカード６によって水受け部３が隠されるため、美観に与える影響が少なくなる。また、水受け部３が支持台本体２に対して着脱自在となっているため、洗浄や清掃がし易い。
【００１４】
また、水受け部３に形成される収容部３３は、水７を収容しておくことができる（図３（ｂ）参照）。これは、収容部３３に収容された水７が蒸発して、前記開口部３１ｂからカード支持台１の外部へ少しずつ放出することができるものであり、ディスプレイケース４内の空間における加湿又は保湿作用を有する。
【００１５】
図１（ｃ）は、本発明に係るカード支持台１の使用形態の一つとして、飾り物を収容して展示するディスプレイケース４の収容空間４１に、カード支持台１を設置した例を示している。このディスプレイケース４は、２つの板部によるアングル状に形成されたケース本体４５と、アングル状のケース本体４５に嵌めこむようにして取り付けることで、前記ケース本体４５との間に飾り物５を収容する収容空間４１を形成する着脱自在の透視用フード４２とを具備した構成であり、透視用フード４２を介して収容空間４１に収容された飾り物５を観賞できる。また、ケース本体４５のアングル状の板部の内、このディスプレイケース４の設置面となる側の板部は飾り物５が載置される底板４３として機能し、もう一方の板部は背板４４として機能する。
図１（ｃ）では、水受け部３の収容部３３に水を収容するとともに、カード挟持部１１に所望のカード６を挟み込んだカード支持台１を、ディスプレイケース４の底板４３上に、飾り物５とともに載置（つまり、収容空間４１に収容）している。これにより、飾り物５の種別等を表示するカード６が、飾り物５とともにディスプレイケース４の透視用フード４２を通じてディスプレイケース４の外部から透視可能となるとともに、水受け部３の収容部３３に収容した水７の蒸発により、収容空間４１内の加湿又は保湿を行うことができる。
水受け部３の収容部３３に水７を補充する際は、前記ディスプレイケース４の透視用フード４２をケース本体４５から取り外して収容空間４１からカード支持台１を取り出し、水受け部３の収容部３３に水７を収容し、再びカード支持台１を収容空間４１へ戻して透視用フード４２をケース本体４５に取り付ければ良い。ディスプレイケース４からカード支持台１を取り出した際に、水受け部３を支持体本体２から取り外すことで、カード支持台１全体を万遍なく洗浄することも容易である。
なお、ディスプレイケースとしては図示例のものに限定されず、大型のガラスケース等も含む。
【００１６】
ここで、前述したように、本発明のカード支持台１は、開口部３１ｂの開口面積を底板部３１ａの面積よりも大きくした構成としたため、蒸発した水７が水受け部３の外部へ放出されやすくなっており、水７を収容した水受け部３の設置初期段階において、迅速に湿気の補給を行うことができる。ディスプレイケース４のようなケースの内部は密閉空間となることが多いが、水受け部３に水７を収容して設置した初期段階で、水の蒸発によってディスプレイケース４内の湿度が十分に確保されれば、この湿度はあまり変化しないから、設置初期段階を経過した後の水受け部３からの水７の蒸発量は少なくなる。このため、本発明のカード支持台１をディスプレイケース４内に設置した場合は、水受け部３に収容された水７を長持ちさせることができる。
なお、例えば、水受け部３が底板部３１ａ側から開口部３１ｂ側に行くに従って、収容部３３の断面積が大きくなっている構造であったとしても、水受け部３がカード挟持部１１の一部（片側）を兼ねる構成であるため、水受け部３の設置状態の安定性を確保できるとともに、水受け部とカード挟持部を別々に設置した場合に比べ、設置面積も少なくて済むことは言うまでもない。また、図示例のように、ディスプレイケース４内におけるカード支持台１の設置位置が、透視用フード４２の上下方向に延在する壁状部付近である場合、前面板部２２及び水受け部３の傾斜により、水受け部３は、上側に行くほど、透視用フード４２からの距離を大きく確保できる。これにより、水受け部３内の水は、水受け部３が傾斜されていない場合に比べて、外気温の影響を受けにくいといった利点もある。
【００１７】
また、カード支持台１をディスプレイケース４の透視用フード４２近くに設置しても、水受け部３内の水７の大部分が、前面板部２２や、前面板部２２と水受け部３との間に挟み込んで支持したカード６によって、外気温、日照等の影響を直接受けないように保護されるため、外気温の上昇や日照による過剰な蒸発を生じにくい。
【００１８】
なお、図１（ｃ）、図３（ａ）、（ｂ）においては、挟み込むカード６の大きさを、前面板部２２の寸法の枠からはみ出るもの（縦、横とも）を用いて説明しているが、例えば、挟み込むカード６の大きさを、前面板部２２の大きさの枠に収まる寸法にしてやれば、美観を大きく向上させてやることが可能である。
【００１９】
また、水受け部３の収容部３３に収容するものについては、本実施形態においては水を例に説明し、保湿効果について述べたが、これには限定されない。
例えば、この収容部３３に除湿剤を収容してやれば、ディスプレイケース４の収容空間４１において除湿効果を持たせることが可能になり、飾り物５が湿気を嫌う物品（例えばぬいぐるみ等）である場合にも大きな効果を発揮することができる。水受け部３は、吸湿して液状又はゲル状になった除湿剤を漏らさない機能を果たす。
その他、この収容部３３は、使用していないカード６を一時保管するスペースとして使用することも可能である。
【００２０】
また、本実施形態においては、水受け部３の支持台本体２への取り付けを、挿入突起３２を取付用挿入穴２１ｇに挿入して行っているが、これには限定されず、例えば、支持台本体２及び水受け部３の一方又は両方に係合爪を形成して係合する等、他の取り付け方法を用いても良いことは言うまでも無い。
【図面の簡単な説明】
【００２１】
【図１】本発明に係るカード支持台の示す図であり、（ａ）は全体斜視図、（ｂ）は側面図、（ｃ）は本発明に係るカード支持台をディスプレイケース内に収容した図である。
【図２】本発明に係るカード支持台を示す図であり、（ａ）は部品を展開した斜視図、（ｂ）は部品を展開した側面図である。
【図３】本発明に係るカード支持台の使用形態を示す図であり、（ａ）はカードを挟持して水を収容した斜視図、（ｂ）はカードを挟持して水を収容した側面図、（ｃ）は底面２１ａ側からみた図である。
【符号の説明】
【００２２】
１…カード支持台、１１…カード挟持部、２…支持台本体、２１…基台部、２２…前面板部、３…水受け部、６…カード
【図１】
2006064735.tif 000003
【図２】
2006064735.tif 000004
【図３】
2006064735.tif 000005